(57)【要約】      （修正有）【課題】両面テープをゴルフクラブシャフトのグリップ挿入部へ螺旋状に素早く、且つ精度良く貼り付けることができる装置を提供する。【解決手段】ゴルフクラブシャフトはその一端の内径部を把持具に装着固定された状態でそのシャフト軸センターを中心にして回転可能に把持される。シャフトの回転に対応して回転する送りねじにナットが嵌合している。ナットと一体化されたテープガイド体は両面テープリールを装着でき、シャフト軸センター方向を左又は右に移動する事ができる。テープリールから引き出された両面テープは、テープガイド体中のテープガイド溝を通って、その貼り付け面先端をシャフトに貼り付けられる。テープガイド溝はシャフト軸センターに対して特定の角度で配置されている。【選択図】図２
0003173872.tif 000002
【実用新案登録請求の範囲】
【請求項１】
ゴルフクラブシャフトのグリップ挿入部への両面テープの螺旋状貼り付け装置において、ゴルフクラブシャフトはその一端の内径部を把持具に装着固定された状態でそのシャフト軸センターを中心にして回転可能に把持される。前記シャフトの回転に対応して、その回転数と比例的且つ又、同時に回転する送りねじにナットが嵌合している。前記ナットは、前記シャフト軸センター方向をシャフトの回転数に対応した移動距離で移動でき且つ又、前記シャフトの回転方向により左又は右に移動する事ができる。前記ナットと一体化されたテープガイド体は両面テープリールを装着できる構造を持ち、従って前記シャフト軸センター方向を左又は右に移動する事ができる。前記テープリールから引き出された両面テープは、前記テープガイド体中のテープガイド溝を通って、その貼り付け面先端をシャフトに貼り付ける事ができる。前記テープガイド溝は前記シャフト軸センターに対して特定の角度で配置されている。従って前記シャフトに貼り付けられた前記両面テープは、シャフトの回転と同時に特定のねじれ角度を維持しつつ、前記シャフトに螺旋状に貼り付けられる事を特徴とする両面テープの螺旋状貼り付け装置
【考案の詳細な説明】
【技術分野】
【０００１】
本考案は、ゴルフクラブシャフトのグリップ挿入部への両面テープの螺旋状貼り付けに関するものである。
【背景技術】
【０００２】
従来、ゴルフクラブシャフトのグリップ挿入部には人手により、両面テープが螺旋状に貼り付けられていた。
【考案の開示】
【考案が解決しようとする課題】
【０００３】
従来の人手による、ゴルフクラブシャフトのグリップ挿入部への両面テープの螺旋状貼り付けでは貼り付け位置精度を一定化するには熟練が必要であり、又その貼り付けにはかなり時間がかかっていた。
本考案の装置によればその貼り付け位置精度が均一化でき且つ又、その貼り付け作業時間も短縮する事ができる。
【課題を解決するための手段】
【０００４】
ゴルフクラブシャフトのグリップ挿入部への両面テープの螺旋状貼り付け装置において、貼り付け位置精度を一定化し且つ又、その貼り付けに要する作業時間を短縮するために、ゴルフクラブシャフトは回転可能に把持され、両面テープリールから引き出された両面テープはシャフトに対して特定の貼り付け角度と適度な張力で該シャフトに貼り付けられる。両面テープのシャフトへの貼り付け面はシャフトの一回転に対し一定の距離を移動し、シャフトの回転に応じて、前記シャフト軸センター方向を左又は右方向にシャフトに貼り付きながら移動することができるから両面テープをシャフトに連続的に螺旋状に貼り付けられる。
【考案の効果】
【０００５】
本考案の装置を使用すればゴルフクラブシャフトのグリップ挿入部への両面テープの螺旋状貼り付けが誰でもより高精度に、又素早く実現できる。
【考案を実施するための最良の形態】
【０００６】
ゴルフクラブシャフトはその一端内径部を把持具により、そのシャフト軸センターを中心として回転可能に把持される。前記シャフトの回転に対応してその回転数と比例的に且つ又、同時に回転する送りねじにナットが嵌合する。前記ナットは前記シャフト軸センター方向に移動可能で、前記シャフトの回転方向により左又は右に移動する。従って前記ナットと一体的に連結した移動板は、前記送りねじと平行に設置された移動レール上を左右に移動できる。前記移動板にはテープリール支持板が設置されていて、前記テープリール支持板に装着されたテープリールから引き出された両面テープは、前記シャフトに対し特定の角度で前記テープリール支持板に設置されたテープガイド体の溝中を通って前記両面テープの先端の貼り付け面がシャフトの所定の場所に貼り付けられる。ゴルフクラブシャフトが回転すると、同時に両面テープはその回転に応じてシャフトに螺旋状に貼り付けられる構造を持つ。
【実施例】
【０００７】
以下添付図面に従って実施例を説明する。
ゴルフクラブシャフト１のグリップ挿入部２の軸端部内径穴２８はシャフトクランパー１９に挿入されシャフト１の一端が把持される。又、シャフト１の他の箇所はシャフト受け板２１上のシャフト受け車２０によって支承される。シャフトクランパー１９、大歯車２２、ハンドル２４はシャフト回転軸１８と一体化していて、それらはシャフト回転用軸受１７に支承されていて回転可能である。大歯車２２は小歯車２３と噛み合っていて回転が伝達される。小歯車２３は送りねじ１４と一体化されている。送りねじ１４は両端を送りねじ用軸受１６により回転可能に支承されている。送りねじ１４にはナット１３が嵌合されていて送りねじ１４の回転数は該シャフト１の回転数と比例的関係にある。従ってナット１３は送りねじ１４の回転数に応じて一定距離を移動し且つ又、送りねじ１４の回転方向に応じて右行、左行する。ナット１３には連結移動板１０が一体化されている。連結移動板１０は移動ガイド１１と結合されている。移動ガイド１１は送りねじ１４に平行に設置された移動レール１２上を左右に移動できる。従って連結移動板１０も左右に移動できる。
【０００８】
テープリール５はリール受け６に装着されリール止め板７によりリール受け６からの脱落を防止されている。リール受け６は連結移動板１０と一体化したリール支持板９上に回転可能に設置されている。リール支持板９にはテープテンショナー８が設置されていて、それがテープリール５の外周を押すことによりテープ４の前記シャフトへの貼り付け力を制御していて、テープ貼り付け時にはその押し付け荷重により、両面テープ４には適度な貼付け張力が発生するから前記シャフトに密着して貼り付ける事ができる。リール支持板９には又、ゴルフクラブ１のシャフト軸センター３に対して特定の角度でテープが引き出される様にテープガイド板１５が設置されている。シャフトへのテープ貼り付け時、テープガイド板１５に設けられたテープガイド溝２５中を両面テープ４が通る。シャフト受け板２１、シャフト回転用軸受１７、送りねじ用軸受１６、及び移動レール１２は装置基板２６上に配設される。
【０００９】
以上により両面テープ４の先端貼付面をシャフト１に貼り付けてから、ハンドル２４をシャフト１の貼り付け方向に回転させると前記関連性により両面テープ４の貼り付け面は、シャフトの回転数に応じて一定の距離でシャフト軸センター３方向に移動するから、ゴルフクラブシャフト１に対して両面テープ４を素早く且つ又、精度良く螺旋状に貼り付ける事ができる。
【図面の簡単な説明】
【００１０】
【図１】グリップ挿入前のゴルフクラブシャフト
【図２】本装置の立体構成図
【図３】テープ巻き開始時の本装置立体図
【図４】テープ巻き途中時の本装置立体図
【図５】両面テープが螺旋貼り付けされたゴルフクラブシャフト
【符号の説明】
【００１１】
1  
ゴルフクラブシャフト
2  
グリップ挿入部
3  
シャフト軸センター
4  
両面テープ
5  
テープリール
6  
リール受け
7  
リール止め板
8     テープテンショナー
9    リール支持板
10    連結移動板
11    移動ガイド
12    移動レール
13    移動ナット
14    送りネジ
15    テープガイド板
16    送りねじ用軸受
17    シャフト回転用軸受
18    シャフト回転軸
19    シャフトクランパー  
20    シャフト受け車
21    シャフト受け板
22    大歯車
23    小歯車
24    ハンドル
25    テープガイド溝
26    装置基板
27    螺旋状貼り付けされた両面テープ
28    軸端部内径穴
【図１】
0003173872.tif 000003
【図２】
0003173872.tif 000004
【図３】
0003173872.tif 000005
【図４】
0003173872.tif 000006
【図５】
0003173872.tif 000007